(57)【要約】【課題】  ＰＣ鋼より線の素線間すべり防止構造及びこれを用いたプレストレストコンクリート梁を提供すること。【解決手段】  ＰＣ鋼より線５を構成する素線５１Ａ、５２Ａ、５３Ａ間でのすべりを防止するため、ＰＣ鋼より線５の外周に拘束治具６を少なくとも１つ装着し、素線５１Ａ、５２Ａ、５３Ａ同士を拘束治具６によって締め付けるようにした。拘束治具６によりＰＣ鋼より線５の外周面側から内部に向かう締め付け力が付与され素線５１Ａ、５２Ａ、５３Ａ同士が圧着されるので、ＰＣ鋼より線５の緊張力が高くなっても素線間でのすべりを防ぐことができる。また、拘束治具６によりＰＣ鋼より線５とコンクリートとの間の付着強度を高めることができる。このすべり防止構造を有するＰＣ鋼より線５を用いれば高性能のプレストレストコンクリート梁を製造することができる。【選択図】        図３
2006239949.tif 000002
【特許請求の範囲】
【請求項１】
ＰＣ鋼より線を構成する素線間でのすべりを防止するための構造であって、前記ＰＣ鋼より線の外周に拘束治具を少なくとも１つ装着し、前記素線を該拘束治具によって前記ＰＣ鋼より線の外周から内側に向けて締め付けるようにしたＰＣ鋼より線の素線間すべり防止構造。
【請求項２】
コンクリートの本体内にＰＣ鋼より線が埋設されて成り該ＰＣ鋼より線によってプレストレスが導入されているプレストレストコンクリート梁において、前記ＰＣ鋼より線の外周に拘束治具が少なくとも１つ装着され、前記素線が該拘束具によって前記ＰＣ鋼より線の外周から内側に向けて締め付けられていることを特徴とするプレストレストコンクリート梁。
【発明の詳細な説明】
【技術分野】
【０００１】
本発明はＰＣ鋼より線の素線間すべり防止構造及びこれを適用したプレストレストコンクリート梁に関するものである。
【背景技術】
【０００２】
プレテンション方式のプレストレストコンクリート（本明細書においてはＰＣと称することがある）構法は、その断面下端にＰＣ鋼より線を緊張して配置することにより部材にプレストレスを導入するものであり、これにより部材の中央付近では偏芯モーメントによる大きな吊上げ力が期待でき、大スパンに対応可能な梁として用いることができる。この偏芯モーメントの大きさはＰＣ鋼より線の緊張力の大きさに比例するため、より大きな偏芯モーメントが必要な場合には大容量のＰＣ鋼より線が使用される。
【０００３】
このような目的で使用される従来のＰＣ鋼より線としては、例えば図５に示されるように２層構造のもの（同図（ａ））、及び３層構造のもの（同図（ｂ））が知られている。図５に示す例では、２層構造のものは７本のより線から成るのに対し、３層構造のものは１９本のより線から成っているため大容量となっており、３層構造のＰＣ鋼より線を用いればより大きな緊張力を得ることができる。一般的なプレテンション方式のＰＣ構法では、図６及び図７に示されるように、ＰＣ鋼より線１０１を定着具を用いることなくプレキャストコンクリート１０２のコンクリート本体１０３内に配設し、ＰＣ鋼より線１０１のコンクリート本体１０３内での定着をコンクリートとの付着力のみにより得てプレストレスを導入している。
【発明の開示】
【発明が解決しようとする課題】
【０００４】
しかし、上述した従来の構成によると、より大きな偏芯モーメントを得るために、プレテンション方式のＰＣ構法に３層構造のＰＣ鋼より線を用いると、コンクリートの付着力がＰＣ鋼より線の内側深くにまで及ばないので、ＰＣ鋼より線の内部において素線間でのすべりが生じる傾向がある。この結果、そのすべり量に比例して緊張力が失われてプレストレス力が減退してしまい、大容量ＰＣ鋼より線としての緊張力を十分に利用できないという問題を有していた。また、ＰＣ鋼より線が太径となることで、コンクリートとＰＣ鋼より線との間での付着劣化が生じやすく、これによるすべりも生じる虞があった。
【０００５】
本発明の目的は、従来技術における上述の問題点を解決することができるＰＣ鋼より線の素線間すべり防止構造を提供することにある。
【０００６】
本発明の他の目的は、ＰＣ鋼より線の緊張力を十分に利用することができるようにしたプレストレストコンクリート梁を提供することにある。
【課題を解決するための手段】
【０００７】
上記課題を解決するため、本発明によれば、ＰＣ鋼より線を構成する素線間でのすべりを防止するための構造であって、前記ＰＣ鋼より線の外周に拘束治具を少なくとも１つ装着し、前記素線を該拘束治具によって前記ＰＣ鋼より線の外周から内側に向けて締め付けるようにしたＰＣ鋼より線の素線間すべり防止構造が提案される。
【０００８】
本発明によれば、さらに、コンクリートの本体内にＰＣ鋼より線が埋設されて成り該ＰＣ鋼より線によってプレストレスが導入されているプレストレストコンクリート梁において、前記ＰＣ鋼より線の外周に拘束治具が少なくとも１つ装着され、前記素線が該拘束具によって前記ＰＣ鋼より線の外周から内側に向けて締め付けられていることを特徴とするプレストレストコンクリート梁が提案される。
【発明の効果】
【０００９】
本発明によれば、拘束治具によりＰＣ鋼より線の外周面側から内部に向かう締め付け力が付与されるため素線間における圧着力が大きくなるので、ＰＣ鋼より線の緊張力が高くなっても素線間のすべりを有効に抑え、プレストレス力の減退を防ぐことができる。また、拘束治具が定着板として機能することによりＰＣ鋼より線とコンクリートとのすべりを防止することができる。
【発明を実施するための最良の形態】
【００１０】
以下、図面を参照して本発明の実施の形態の一例につき詳細に説明する。
【００１１】
図１は、本発明の一実施形態を示す断面図、図２は図１のＡ−Ａ線断面図である。図１及び図２を参照すると、プレキャストコンクリート１は、複数の主筋２に対して適宜の間隔をあけて帯筋３を配置、緊結して成る鉄筋組立体を図示しない型枠内に入れてコンクリート打設して作製されたもので、４はコンクリート本体である。プレキャストコンクリート１を大スパンに対応可能な梁部材として使用可能にするため、コンクリート本体４内には、３本のＰＣ鋼より線５が配設され、これによりプレキャストコンクリート１にプレストレスが導入されている。
【００１２】
ＰＣ鋼より線５は、図２に示されるように、プレキャストコンクリート１の断面下端１Ａに接近するようにして、プレキャストコンクリート１の軸方向に沿って配設され、且つ、図示しない治具によって所定の緊張状態を付与された状態でコンクリート本体４内に埋設されている。この結果、ＰＣ鋼より線５の緊張力によってコンクリート本体４内にプレストレスが導入され、プレキャストコンクリート１の中央付近では偏芯モーメントによる大きな吊り上げ力が付与される。
【００１３】
図３には、図１及び図２に示されているＰＣ鋼より線５の要部の断面を拡大した要部断面拡大図が示されている。ＰＣ鋼より線５は図５の（ｂ）に示したのと同じ３層構造のものであり、中心に設けられた芯素線５１Ａと、芯素線５１Ａを囲んで中間層５２を形成する中間素線５２Ａと、中間層５２を囲んで外周層５３を形成する外周素線５３Ａ線とから成る公知の構成の１９本よりＰＣ鋼より線である。
【００１４】
ＰＣ鋼より線５に緊張力を与えた場合にＰＣ鋼より線５を構成する１９本の素線間においてすべりが生じるのを抑えるため、ＰＣ鋼より線５の外周には環状の拘束治具６が装着されている。
【００１５】
拘束治具６は、剛性のある金属性の帯状部材を加工して成る拘束バンド部材６１と、拘束バンド部材６１の一対の端部６１Ａ、６１Ｂを締め付けるためのボルト６２及びナット６３とから構成されている。拘束バンド部材６１はＰＣ鋼より線５の外周を包み込むことができるよう全体として略円環状の形態に形成されており、ボルト６２とナット６３とによって一対の端部６１Ａ、６１Ｂが締め付けられており、これによりＰＣ鋼より線５の外周面側から内部に向かう締め付け力が付与され、ＰＣ鋼より線５を構成する１９本の素線が相互に締め付けあい、これにより素線間でのすべりが生じにくい状態となっている。
【００１６】
本実施の形態では、拘束治具６はＰＣ鋼より線５の両端部付近に一対設けられているが、拘束治具６は１つ以上任意の数だけ適宜の位置に設けることができる。
【００１７】
ＰＣ鋼より線５には、拘束治具６が上述の如く、強固に装着されているので、ＰＣ鋼より線５がコンクリート本体４内にコンクリート打設により埋設されたとき、コンクリートの付着力がＰＣ鋼より線５の内部深くにまで及ばなくても、ＰＣ鋼より線５を構成する芯素線５１Ａ、中間素線５２Ａ、外周素線５３Ａは拘束治具６による締め付け力で互いに圧着されているので、ＰＣ鋼より線５に与えられた緊張により素線間にすべりが生じるのを有効に抑え、緊張力が失われてプレストレス力が減退するのを防ぐことができる。
【００１８】
また、ＰＣ鋼より線５に装着される拘束治具６は、コンクリート本体４内のＰＣ鋼より線５をしっかりと定着させるのに役立つ。この結果、１９本より線を用いてもコンクリートとＰＣ鋼より線間でのすべりが抑止され、１９本より線の能力を十分に発揮することが可能となる。
【００１９】
図４は、図３に示した拘束治具６の別の形態を示す図である。図４に示す拘束治具７は、それぞれが円弧状に加工されている一対の拘束バンド７１、７２を有し、ＰＣ鋼より線５を拘束バンド７１、７２によって挟んだ状態で拘束バンド７１の端部７１Ａ、７１Ａを拘束バンド７２の対応する端部７２Ａ、７２Ｂとボルト締めすることにより、ＰＣ鋼より線５を構成する１９本の素線を相互に締め付けあい、これにより素線間でのすべりが生じにくい状態とすることができる。
【００２０】
以上、本発明の実施の形態の一例について説明したが、本発明はこの一実施形態に限定されるものではない。例えば、拘束治具の一実施形態として、図３及び図４にその一例を図示して説明したが、ＰＣ鋼より線を構成する複数の素線を相互に締め付けてすべりを有効に防止することができる他の適宜のものを拘束治具として用いてもよいことは勿論である。
【図面の簡単な説明】
【００２１】
【図１】本発明の一実施形態を示す断面図。
【図２】図１のＡ−Ａ線断面図。
【図３】図１及び図２に示されているＰＣ鋼より線の要部の断面を拡大して示す要部断面拡大図。
【図４】拘束治具の他の形態を説明するための図。
【図５】従来のＰＣ鋼より線の構成を説明するための図。
【図６】従来のプレストレスコンクリート構法を説明するための断面図。
【図７】図５のＸ−Ｘ線断面図。
【符号の説明】
【００２２】
１  プレキャストコンクリート１
２  主筋
３  帯筋
４  コンクリート本体
５  ＰＣ鋼より線
６、７  拘束治具
５２  中間層
５３  外周層
５１Ａ  芯素線
５２Ａ  中間素線
５３Ａ  外周素線
【図１】
2006239949.tif 000003
【図２】
2006239949.tif 000004
【図３】
2006239949.tif 000005
【図４】
2006239949.tif 000006
【図５】
2006239949.tif 000007
【図６】
2006239949.tif 000008
【図７】
2006239949.tif 000009